(57)【要約】【課題】ユーザが情報端末を使用する環境に応じて自動的に仮想デスクトップを切り替えることができる情報端末、そのプログラムおよび方法を提供する。【解決手段】ネットワーク接続可能であり、個々の仮想デスクトップとネットワーク識別情報とを関連付ける関連付け手段を持つ。さらに、ネットワーク接続の際取得されるネットワーク識別情報に応じて、該ネットワーク識別情報に関連付けられた仮想デスクトップの表示をさせる表示手段を持つ。【選択図】図９
2012003581.tif 000002
【特許請求の範囲】
【請求項１】
ネットワーク接続可能な情報端末において、
個々の仮想デスクトップとネットワーク識別情報とを関連付ける関連付け手段と、
ネットワーク接続の際取得される前記ネットワーク識別情報に応じて、該ネットワーク識別情報に関連付けられた前記仮想デスクトップの表示をさせる表示手段と、
を備えることを特徴とする情報端末。
【請求項２】
ネットワーク接続の際取得される前記ネットワーク識別情報に関連付けられた仮想デスクトップを既定の仮想デスクトップとして設定する設定手段をさらに備え、
前記表示手段は、前記設定手段により設定された既定の仮想デスクトップを表示させることにより、前記ネットワーク識別情報に関連付けられた前記仮想デスクトップの表示をさせることを特徴とする請求項１に記載の情報端末。
【請求項３】
前記表示手段は、ネットワーク接続できない場合または未知のネットワーク識別情報が取得された場合、予め指定された仮想デスクトップを表示させることを特徴とする請求項２に記載の情報端末。
【請求項４】
前記ネットワーク識別情報は、ＳＳＩＤ（Service Set Identifier）であることを特徴とする請求項１から請求項３のいずれか１項に記載の情報端末。
【請求項５】
ネットワーク接続可能な情報端末において仮想デスクトップの自動切り替えを実現させるプログラムであって、
個々の仮想デスクトップとネットワーク識別情報とを関連付ける関連付けステップと、
ネットワーク接続の際取得される前記ネットワーク識別情報に応じて、該ネットワーク識別情報に関連付けられた前記仮想デスクトップの表示をさせる表示ステップと、
を含むことを特徴とするプログラム。
【請求項６】
ネットワーク接続の際取得される前記ネットワーク識別情報に関連付けられた仮想デスクトップを既定の仮想デスクトップとして設定する設定ステップをさらに含み、
前記表示ステップにおいて、前記設定ステップにて設定された既定の仮想デスクトップを表示させることにより、前記ネットワーク識別情報に関連付けられた前記仮想デスクトップの表示をさせることを特徴とする請求項５に記載のプログラム。
【請求項７】
前記表示ステップにおいて、ネットワーク接続できない場合または未知のネットワーク識別情報が取得された場合、予め指定された仮想デスクトップを表示させることを特徴とする請求項６に記載のプログラム。
【請求項８】
前記ネットワーク識別情報は、ＳＳＩＤ（Service Set Identifier）であることを特徴とする請求項５から請求項７のいずれか１項に記載のプログラム。
【請求項９】
ネットワーク接続可能な情報端末において該情報端末に備わる制御手段により実行される方法であって、
前記制御手段が、個々の仮想デスクトップとネットワーク識別情報とを関連付ける関連付けステップと、
前記制御手段が、ネットワーク接続の際取得される前記ネットワーク識別情報に応じて、該ネットワーク識別情報に関連付けられた前記仮想デスクトップの表示をさせる表示ステップと、
を含むことを特徴とする方法。
【請求項１０】
前記制御手段が、ネットワーク接続の際取得される前記ネットワーク識別情報に関連付けられた仮想デスクトップを既定の仮想デスクトップとして設定する設定ステップをさらに含み、
前記表示ステップにおいて、前記制御手段は、前記設定ステップにて設定された既定の仮想デスクトップを表示させることにより、前記ネットワーク識別情報に関連付けられた前記仮想デスクトップの表示をさせることを特徴とする請求項９に記載の方法。
【請求項１１】
前記表示ステップにおいて、前記制御手段は、ネットワーク接続できない場合または未知のネットワーク識別情報が取得された場合、予め指定された仮想デスクトップを表示させることを特徴とする請求項１０に記載の方法。
【請求項１２】
前記ネットワーク識別情報は、ＳＳＩＤ（Service Set Identifier）であることを特徴とする請求項９から請求項１１のいずれか１項に記載の方法。
【発明の詳細な説明】
【技術分野】
【０００１】
本発明の実施形態は、情報端末、そのプログラムおよび方法に関する。
【背景技術】
【０００２】
現在、一般的なＰＣ（パーソナルコンピュータ）や携帯電話機などの情報端末においては、ＧＵＩ（Graphical User Interface）が採用されており、ユーザは、このＧＵＩによるデスクトップ環境を介して所望の端末操作を行えるようになっている。ところで、現在普及しているＭＳ  Ｗｉｎｄｏｗｓ（登録商標）等のＰＣ用ＯＳ（Operating System）のデスクトップ環境は、ユーザの経験の一貫性を保証するため、環境を切り替えるなどの変更を積極的に行えるようにはなっていない。その一方で、従来のデスクトップ環境を拡張する種々の仮想デスクトップ環境（以下、仮想デスクトップと称す）が提案されている。
【０００３】
仮想デスクトップは、コンピュータのデスクトップ環境を拡張するソフトウェアの一種であり、独立した複数の仮想的なデスクトップ環境や、表示領域より広い連続したデスクトップ空間等をユーザに提供する。仮想デスクトップを実現するソフトウェアは、一般的には、使用する仮想デスクトップを切り替える機能や、仮想デスクトップごとに外観をカスタマイズする機能などがある。また個々の仮想デスクトップを縦横／上下に並んだものとして、個々の仮想デスクトップを移動させ切り替えることもできる。
【先行技術文献】
【特許文献】
【０００４】
【特許文献１】特開２００４−１０２４６４号公報
【発明の概要】
【発明が解決しようとする課題】
【０００５】
デスクトップ環境は、それを使用する環境（例えば、職場／自宅など）によって望まれる表示形態が異なる。この要求に対し、使用する環境に対応した表示形態の仮想デスクトップを複数用意し切り替えることで、この要求に答えることができる。
【０００６】
しかしながら、仮想デスクトップの切り替えは、一般的には、タッチパネルやキーボードを介してユーザが手動により操作することによって行うことになる。
【０００７】
本発明は、上記に鑑みてなされたものであって、ユーザの手を煩わせることなく、ユーザが情報端末を使用する環境に応じて、自動的に仮想デスクトップを切り替えることができる情報端末、そのプログラムおよび方法を提供することを目的とする。
【課題を解決するための手段】
【０００８】
上述した課題を解決し、目的を達成するために、実施形態の情報端末は、ネットワーク接続可能であり、個々の仮想デスクトップとネットワーク識別情報とを関連付ける関連付け手段を持つ。さらに、ネットワーク接続の際取得される前記ネットワーク識別情報に応じて、該ネットワーク識別情報に関連付けられた前記仮想デスクトップの表示をさせる表示手段を持つ。
【図面の簡単な説明】
【０００９】
【図１】図１は、一実施形態のタブレット型パーソナルコンピュータ（タブレットＰＣ）の外観を示す図である。
【図２】図２は、タブレットＰＣのハードウェア構成を示す図である。
【図３】図３は、同本実施形態におけるソフトウェア構成を示す図である。
【図４】図４は、ＳＳＩＤの設定画面の一例を示す図である。
【図５】図５は、仮想デスクトップの例を示す図である。
【図６】図６は、仮想デスクトップとＳＳＩＤを関連付けるための設定画面（デスクトップ設定）の一例を示す図である。
【図７】図７は、追加メニューの一例を示す図である。
【図８】図８は、仮想デスクトップ−ＳＳＩＤ対応テーブルの一例を示す図である。
【図９】図９は、仮想デスクトップの切り替えの際の仮想デスクトップソフトウェアによる処理を説明するフローチャートである。
【図１０】図１０は、場所によって仮想デスクトップの自動切り替えが行われる具体例を示した図である。
【発明を実施するための形態】
【００１０】
以下に、本発明にかかる実施形態を図面に基づいて詳細に説明する。
【００１１】
（タブレット型パーソナルコンピュータの概要）
まず、一実施形態のタブレット型パーソナルコンピュータの概要について説明する。図１は、一実施形態のタブレット型パーソナルコンピュータの外観を示す図である。
【００１２】
本実施形態のタブレット型パーソナルコンピュータ（以下、タブレットＰＣと称す）１００は、入力装置として、キーボード１１およびタッチパッド１２に加え、ペンや指などの座標位置やその接触面の面積を検出するためのタッチパネルをその表面に有する表示装置１３を備えたコンピュータシステムである。
【００１３】
図１に示すように、タブレットＰＣ１００は、コンピュータ本体１０にキーボード１１およびタッチパッド１２が設けられている。そして、このコンピュータ本体１０の内部に、後述の各種ハードウェアが内蔵されている。
【００１４】
さらに、タブレットＰＣ１００には、ＬＣＤからなる表示パネル（表示画面）と、この表示パネルの表面に一体的に設けられたタブレット（タッチパネル）を有する表示装置１３が、コンピュータ本体１０に対して、回転２軸ヒンジ機構により開閉自在かつ回転自在に取り付けられている。図１は表示装置１３が通常の開状態（ラップトップモード）であることを示す。表示装置１３を通常の開状態から１８０度回転させキーボード１１を隠すように閉じた状態（タブレットモード）とすることもできる。
【００１５】
（ハードウェア構成）
続いて、タブレットＰＣ１００のハードウェア構成について図２を用いて説明する。図２はタブレットＰＣ１００のハードウェア構成を示す図である。
【００１６】
タブレットＰＣ１００は、図２に示すように、キーボード１１からのキー入力を入力データに変換して、コンピュータ本体１０に入力するためのキーボードコントローラ２１を有する。また、タッチパッド１２からの操作入力を入力データに変換して、コンピュータ本体１０に入力するためのタッチパッドコントローラ２２を有する。
【００１７】
さらに、タブレットＰＣ１００は、データ入力装置としてキーボード１１やタッチパッド１２以外に、タブレット型入力装置２３を備えている。このタブレット型入力装置２３は、タブレット（タッチパネル）２４と、このタブレット２４により検出されたペンや指などの座標位置やその接触面の面積を入力データに変換するためのタブレットコントローラ２５とからなる。
【００１８】
また、コンピュータ本体１０は、入出力制御部２６を有する。この入出力制御部２６は、キーボードコントローラ２１やタッチパッドコントローラ２２やタブレットコントローラ２５から入力されたデータを制御部２７に備わるマイクロプロセッサ（ＣＰＵ）に転送するとともに、このＣＰＵの制御に応じて表示装置１３の出力動作とＨＤＤやＳＳＤ（Solid State Drive）等の記憶装置２８の入出力動作を制御する。なお、制御部２７には、ＯＳや各種アプリケーションがロードされ、ワーク領域としても使用されるＲＡＭ等からなるシステムメモリや、ＢＩＯＳ  ＲＯＭ等のメモリデバイスが含まれる。
【００１９】
また、入出力制御部２６に接続されているネットワークＩ／Ｆ２９は、インターネットやＬＡＮ（Local Area Network）等のネットワークを介して外部のサーバ（図示せず）等に接続するためのインターフェースである。タブレットＰＣ１００は、このネットワークＩ／Ｆ２９を介して外部のサーバ等から所望のプログラムやコンテンツをダウンロードすることができる。なお、本実施形態では、ネットワークとして無線ＬＡＮを利用するものとして説明をするが、有線ＬＡＮであってもよい。
【００２０】
（ソフトウェア構成）
次に、本実施形態におけるソフトウェア構成を図３に示す。同図に示すように、基本ソフトウェアであるＯＳ上に、他のアプリケーションと並列に、本実施形態で特徴的な処理を行う仮想デスクトップソフトウェアが実装される。この仮想デスクトップソフトウェアは、起動後常時実行され、他のアプリケーションの実行の際も、バックグランドにて動作する。
【００２１】
次に、タブレットＰＣ１００において実行される、本実施形態で特徴的な処理・動作について説明する。本実施形態では、個々の仮想デスクトップと関連付けるＳＳＩＤ（Service Set Identifier）の登録と、個々の仮想デスクトップとＳＳＩＤを関連付ける設定とを事前に行う。以下では、まずこれらの設定について説明する。なお、ＳＳＩＤは、ＩＥＥＥ  ８０２．１１シリーズの無線ＬＡＮにおけるアクセスポイントの識別子である。
【００２２】
（ＳＳＩＤの設定）
図４に、ＳＳＩＤの設定画面の一例を示す。ユーザが、使用時点の仮想デスクトップ上でＳＳＩＤの設定を指示すると、図４の設定画面が表示される。この設定画面で符号４１で示す領域には、利用可能なＳＳＩＤの一覧が表示される。ここで表示される利用可能なＳＳＩＤは、いわゆる“ＷｉＦｉ設定”で提示されるＳＳＩＤと同じである。
【００２３】
同図において符号４２の領域には、仮想デスクトップとの関連付けのため登録されるＳＳＩＤ（関連付けるＳＳＩＤ）が表示される。ユーザが、符号４１の領域に表示された利用可能なＳＳＩＤの中から所望のＳＳＩＤを選択し、符号４３の登録ボタンを押下すると、選択されたＳＳＩＤが符号４２の領域に表示される。一方、ユーザが、符号４２の領域に表示された関連付けるＳＳＩＤの登録を取り消す際は、該当のＳＳＩＤを選択し符号４４の登録取消ボタンを押下することにより、関連付けるＳＳＩＤの一覧から削除される。そして、ＯＫボタンが押下されると関連付けるＳＳＩＤのリストが記憶装置２８に記録される。
【００２４】
（仮想デスクトップの例）
図５に、３つの仮想デスクトップの例を示す。本実施形態では、３つの仮想デスクトップ（自宅用、職場用、屋外用）を利用できるものとするが、仮想デスクトップの数は任意である。個々の仮想デスクトップには、それぞれ異なるウィジェット５１や、ショートカット・アイコン５２や、ライブフォルダ５３等が配置される。一方、背景画像５４やランチャー５５は通常共通となる。
【００２５】
（仮想デスクトップとＳＳＩＤとの関連付け）
図６に、仮想デスクトップとＳＳＩＤを関連付けるための設定画面（デスクトップ設定）の一例を示す。ユーザが、使用時点の仮想デスクトップ上でデスクトップ設定を指示すると、図６の設定画面が表示される。
【００２６】
同図において符号６１の領域には、３つの仮想デスクトップの番号１〜３が表示されている。個々の仮想デスクトップは、この番号により管理される。
【００２７】
符号６２は、個々の仮想デスクトップのデスクトップ名を入力するためのテキストボックスダイアログをオープンさせるためのボタンである。ユーザは、このボタンを押下してオープンされたテキストボックスダイアログ（図示せず）から所望のデスクトップ名（例えば、“オフィス”、“ホーム”、“アウトサイド”）を入力することで、個々の仮想デスクトップに対しユーザにとってわかりやすい名前を付けることができる。
【００２８】
符号６３は、個々の仮想デスクトップに関連付けるＳＳＩＤを設定するための追加メニューをオープンさせるためのボタンである。追加メニューの一例を図７に示している。この追加メニューには、同図に示すように、記憶装置２８に記録されている関連付けるＳＳＩＤのリスト（図７の例では、Ａ１２３４５，Ｂ２３４５６，Ｃ３４５６７；図４参照）と、関連付けるＳＳＩＤ毎にそれを選択するためのチェックボックスが表示される。ユーザは、このチェックボックスをチェックすることで、個々の仮想デスクトップとＳＳＩＤとの関連付けを行うことができる。なお、１のＳＳＩＤに関連付けられる仮想デスクトップは１つであり、他の仮想デスクトップ用に選択されたＳＳＩＤは、（グレーアウトするなどして）選択できないようにされる。個々の仮想デスクトップの番号とそれらに関連付けられたＳＳＩＤは、例えば、図８に示す仮想デスクトップ−ＳＳＩＤ対応テーブルに登録され、記憶装置２８に保存される。
【００２９】
（仮想デスクトップの自動切り替え動作）
次に、仮想デスクトップの自動切り替え動作について、図９を用いて説明する。図９は、仮想デスクトップの切り替えの際の仮想デスクトップソフトウェアによる処理を説明するフローチャートである。
【００３０】
以下の処理は、仮想デスクトップソフトウェアに従って制御部２７のＣＰＵが実行するものであるが、説明の簡単のため、仮想デスクトップソフトウェアを動作主体として説明する。なお、以下の処理には含まれないが、タッチパネルやキーボードを用いたユーザ操作によっても（例えば、タッチパネルを用いてデスクトップ画面をドラッグすることにより）仮想デスクトップの切り替えを行うことができる。この場合、切り替え後の仮想デスクトップの番号が既定の仮想デスクトップの番号として設定される。また、以下の処理は、無効にすることもできる。
【００３１】
本実施形態において、仮想デスクトップの自動切り替え動作は、ＯＳから、無線ＬＡＮへの接続状態が変わったことを知らせる無線ＬＡＮ接続状態変更通知が仮想デスクトップソフトウェアに通知されることにより行われる。なお、無線ＬＡＮ接続状態変更通知には、ネットワーク識別情報（本実施形態では、ネットワーク接続に際して検出されたＳＳＩＤ）が含まれる。
【００３２】
はじめに、仮想デスクトップソフトウェアは、ＯＳから無線ＬＡＮ接続状態変更通知があったか判断する（ステップＳ９０１）。
【００３３】
ＯＳから無線ＬＡＮ接続状態変更通知があった場合（ステップＳ９０１でＹｅｓ）、仮想デスクトップソフトウェアは、ネットワーク識別情報であるＳＳＩＤを取得する（ステップＳ９０２）。
【００３４】
次いで、仮想デスクトップソフトウェアは、前述の仮想デスクトップ−ＳＳＩＤ対応テーブルを参照して、ＯＳから通知され取得されたＳＳＩＤに対応する仮想デスクトップを特定する（ステップＳ９０３）。具体的には仮想デスクトップの番号（Ｎｏ．１，２，３）を特定する。なお、無線ＬＡＮ接続状態変更通知によりネットワーク接続ができていないことが通知されている場合や未知のＳＳＩＤが通知された場合の仮想デスクトップの番号は予め定められているものとする（例えば、屋外用仮想デスクトップの番号とする）。
【００３５】
次に、仮想デスクトップソフトウェアは、既定の仮想デスクトップの番号を、ステップＳ９０３で特定した仮想デスクトップの番号に書き換え更新する（ステップＳ９０４）。なお、既定の仮想デスクトップの番号の初期値として、例えば、自宅用の仮想デスクトップの番号が設定される。
【００３６】
次いで、仮想デスクトップソフトウェアは、表示画面における仮想デスクトップの表示状態を調べる（ステップＳ９０５）。ここでは、仮想デスクトップの画面が表示されているか、他のアプリケーションが表示されているかを調べる。本実施形態では、各種アプリケーションは、それがオープンされている時、全画面表示されるものとする。従って、他のアプリケーションがオープンされている時、仮想デスクトップは非表示状態となる。
【００３７】
仮想デスクトップが表示状態である場合（ステップＳ９０６でＹｅｓ）、仮想デスクトップソフトウェアは、ステップＳ９０４で書き換えられた既定の仮想デスクトップの番号に対応する（すなわち、取得されたＳＳＩＤに対応する）仮想デスクトップへ即座にその表示を遷移させる（ステップＳ９０７）。もちろん、ＳＳＩＤが異なっていても共通の仮想デスクトップが関連付けられている場合などで現在表示されている仮想デスクトップがステップＳ９０４で番号が更新された既定の仮想デスクトップと同じ場合は、その表示は変化しない。そして、ステップＳ９０１へ戻る。
【００３８】
一方、仮想デスクトップが非表示状態である場合（ステップＳ９０６でＮｏ）、仮想デスクトップソフトウェアは、仮想デスクトップが非表示状態であることからその表示の遷移は行わず、ステップＳ９０１へ戻る。従って、この場合は、ステップＳ９０４で既定の仮想デスクトップの番号が更新されるのみで、表示画面は変更されない。
【００３９】
その後、仮想デスクトップソフトウェアが、新たにネットワーク識別情報の通知をＯＳから受けた場合は、上記一連の処理が行われる。そうでない場合（ステップＳ９０１でＮｏ）、ステップＳ９０５で表示画面における仮想デスクトップの表示状態が再度調べられる。このとき仮想デスクトップが表示状態となっている場合（例えば、非表示状態から表示状態に変わった場合）（ステップＳ９０６でＹｅｓ）、既定の仮想デスクトップの番号に対応する仮想デスクトップへその表示を遷移させる（ステップＳ９０７）。
【００４０】
なお、本実施形態では、各種アプリケーションは、それがオープンされている時、全画面表示されるものとしたが、マルチウィンドウ表示を行う場合で、オープンされたアプリケーションの背景に仮想デスクトップが表示されている場合は、表示状態であるものとして、背景部分を、既定の仮想デスクトップの番号に対応する仮想デスクトップへその表示を遷移させる。
【００４１】
以上のようにして、仮想デスクトップの自動切り替えが行われる。以下では、タブレットＰＣ１００が使用される場所によって仮想デスクトップの自動切り替えが行われる具体例を、図１０を用いて説明する。図１０は、その具体例を説明する図である。
【００４２】
はじめ、ユーザは自宅（ＨＯＭＥ）におり、自宅用の仮想デスクトップ（以下、［ＨＯＭＥ］デスクトップ）を表示している（１００１）。
【００４３】
ここで、ユーザが職場用の仮想デスクトップ（以下、［ＯＦＦＩＣＥ］デスクトップ）に切り替える操作を、タッチパネルやキーボードを使って行うと、［ＯＦＦＩＣＥ］デスクトップに切り替わる（１００２）。
【００４４】
さらに、ユーザが［ＨＯＭＥ］デスクトップに切り替える操作を、タッチパネルやキーボードを使って行うと、［ＨＯＭＥ］デスクトップに切り替わる（１００３）。
【００４５】
ここで、ユーザが職場にて無線ＬＡＮに接続すると、その際取得されたＳＳＩＤに対応する［ＯＦＦＩＣＥ］デスクトップに自動的に切り替わる（ここでは、このＳＳＩＤが［ＯＦＦＩＣＥ］デスクトップに対応付けられているものとする）（１００４）。なお、このとき他のアプリケーションが開かれている場合は、仮想デスクトップは非表示状態となっているので、［ＯＦＦＩＣＥ］デスクトップへの遷移は行われず、他のアプリケーションが閉じられたときに［ＯＦＦＩＣＥ］デスクトップに遷移する。
【００４６】
［ＯＦＦＩＣＥ］デスクトップに遷移後、他のアプリケーションが開かれるとこの他のアプリケーションが表示され（１００５）、［ＯＦＦＩＣＥ］デスクトップは非表示状態となる。そして、他のアプリケーションが閉じられると［ＯＦＦＩＣＥ］デスクトップが再び表示される（１００６）。
【００４７】
さらに、ユーザが［ＨＯＭＥ］デスクトップに切り替える操作を、タッチパネルやキーボードを使って行うと、［ＨＯＭＥ］デスクトップに切り替わる（１００７）。
【００４８】
ここで、他のアプリケーションが開かれるとこの他のアプリケーションが表示され（１００８）、［ＨＯＭＥ］デスクトップは非表示状態となる。そして、他のアプリケーションが閉じられると［ＨＯＭＥ］デスクトップが再び表示される（１００９）。
【００４９】
以上説明した実施形態によれば、ＳＳＩＤ（ネットワーク識別情報）に応じて自動的にこのＳＳＩＤに関連付けられた仮想デスクトップに切り替えるので、ユーザの手を煩わせることなく、使用場所に応じた最適なデスクトップ環境をユーザに提供することができる。
【００５０】
なお、本実施形態で説明したタブレット型パーソナルコンピュータは、情報端末の一例であって、これに限るものではなく、情報端末には、任意形態のパーソナルコンピュータや、携帯電話機、ＰＤＡ（Personal Digital Assistant）等が含まれる。また、本実施形態では、無線ＬＡＮ接続時に、接続先（アクセスポイント）を識別するためのＳＳＩＤを使って仮想デスクトップの切り替えを行っているが、これに限らず、例えば、有線ＬＡＮ接続時に、ＭＡＣアドレス等を使って仮想デスクトップの切り替えを行うようにすることもできる。
【００５１】
また、前述の仮想デスクトップとＳＳＩＤを関連付けるための設定画面（デスクトップ設定）を介して、個々の仮想デスクトップとＳＳＩＤを関連付け登録する処理を実行する制御部２７は、タブレットＰＣ１００において、関連付け手段として機能し、上述した処理フローのステップＳ９０７を実行する制御部２７は、タブレットＰＣ１００において表示手段として機能し、ステップＳ９０４を実行する制御部２７は、タブレットＰＣ１００においてネットワーク識別情報（ＳＳＩＤ）に関連付けられた仮想デスクトップを既定の仮想デスクトップとして設定する設定手段として機能する。
【００５２】
また、本実施形態において仮想デスクトップの自動切り替えを行うプログラムは、ＲＯＭ等に予め組み込まれて提供されるか、あるいは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供される。さらに、上記プログラムを、インターネット等のネットワークに接続されたコンピュータ上に格納し、ネットワーク経由でダウンロードさせることにより提供するように構成しても良い。
【符号の説明】
【００５３】
１００…タブレットＰＣ、１０…コンピュータ本体、１１…キーボード、１２…タッチパッド、１３…表示装置、２１…キーボードコントローラ、２２…タッチパッドコントローラ、２３…タブレット型入力装置、２４…タブレット、２５…タブレットコントローラ、２６…入出力制御部、２７…制御部、２８…記憶装置、２９…ネットワークＩ／Ｆ
【図１】
2012003581.tif 000003
【図２】
2012003581.tif 000004
【図３】
2012003581.tif 000005
【図４】
2012003581.tif 000006
【図５】
2012003581.tif 000007
【図６】
2012003581.tif 000008
【図７】
2012003581.tif 000009
【図８】
2012003581.tif 000010
【図９】
2012003581.tif 000011
【図１０】
2012003581.tif 000012
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ネットワーク接続可能な情報端末において、
個々の仮想デスクトップとネットワーク識別情報とを関連付ける関連付け手段と、
ネットワーク接続の際取得された前記ネットワーク識別情報に関連付けられた仮想デスクトップを既定の仮想デスクトップとして設定する設定手段と、
前記設定手段により設定された既定の仮想デスクトップの表示をさせる表示手段と、
を備えることを特徴とする情報端末。
【請求項２】
前記表示手段は、ネットワーク接続できない場合または未知のネットワーク識別情報が取得された場合、予め指定された仮想デスクトップを表示させることを特徴とする請求項１に記載の情報端末。
【請求項３】
前記ネットワーク識別情報は、ＳＳＩＤ（Service Set Identifier）であることを特徴とする請求項１または請求項２に記載の情報端末。
【請求項４】
ネットワーク接続可能な情報端末において仮想デスクトップの自動切り替えを実現させるプログラムであって、
個々の仮想デスクトップとネットワーク識別情報とを関連付ける関連付けステップと、
ネットワーク接続の際取得された前記ネットワーク識別情報に関連付けられた仮想デスクトップを既定の仮想デスクトップとして設定する設定ステップと、
前記設定ステップにて設定された既定の仮想デスクトップの表示をさせる表示ステップと、
を含むことを特徴とするプログラム。
【請求項５】
前記表示ステップにおいて、ネットワーク接続できない場合または未知のネットワーク識別情報が取得された場合、予め指定された仮想デスクトップを表示させることを特徴とする請求項４に記載のプログラム。
【請求項６】
前記ネットワーク識別情報は、ＳＳＩＤ（Service Set Identifier）であることを特徴とする請求項４または請求項５に記載のプログラム。
【請求項７】
ネットワーク接続可能な情報端末において該情報端末に備わる制御手段により実行される方法であって、
前記制御手段が、個々の仮想デスクトップとネットワーク識別情報とを関連付ける関連付けステップと、
前記制御手段が、ネットワーク接続の際取得された前記ネットワーク識別情報に関連付けられた仮想デスクトップを既定の仮想デスクトップとして設定する設定ステップと、
前記制御手段が、前記設定ステップにて設定された既定の仮想デスクトップの表示をさせる表示ステップと、
を含むことを特徴とする方法。
【請求項８】
前記表示ステップにおいて、前記制御手段は、ネットワーク接続できない場合または未知のネットワーク識別情報が取得された場合、予め指定された仮想デスクトップを表示させることを特徴とする請求項７に記載の方法。
【請求項９】
前記ネットワーク識別情報は、ＳＳＩＤ（Service Set Identifier）であることを特徴とする請求項７または請求項８に記載の方法。
【手続補正２】
【補正対象書類名】明細書
【補正対象項目名】０００８
【補正方法】変更
【補正の内容】
【０００８】
上述した課題を解決し、目的を達成するために、実施形態の情報端末は、ネットワーク接続可能であり、個々の仮想デスクトップとネットワーク識別情報とを関連付ける関連付け手段を持つ。また、ネットワーク接続の際取得された前記ネットワーク識別情報に関連付けられた仮想デスクトップを既定の仮想デスクトップとして設定する設定手段を持つ。さらに、前記設定手段により設定された既定の仮想デスクトップの表示をさせる表示手段を持つ。